(57)【要約】【課題】光源をソケットから外す際には、光源への電源の供給を確実に停止させることができる照明装置を提供する。【解決手段】照明装置10は、ソケット28、ソケットカバー29、電源部30およびスイッチ31を備える。ソケット28は、発光部を有する光源11が着脱可能に接続される。ソケットカバー29は、ソケット28に対する光源11の着脱を可能とする退避位置とソケット28に対する光源11の着脱を規制する規制位置との間で移動可能とする。電源部30は、一次側電源が供給される一次側電源路に接続され、一次側電源を発光部が点灯する二次側電源に変換してソケット28に接続された光源11に供給する。スイッチ31は、一次側電源路を開閉可能に設けられ、ソケットカバー29が規制位置にあるときに一次側電源路を閉路し、ソケットカバー29が退避位置にあるときに一次側電源路を開路する。【選択図】図１
2017062976.tif 000002
【特許請求の範囲】
【請求項１】
発光部を有する光源が着脱可能に接続されるソケットと；
前記ソケットに対する前記光源の着脱を可能とする退避位置と前記ソケットに対する前記光源の着脱を規制する規制位置との間で移動可能とするソケットカバーと；
一次側電源が供給される一次側電源路に接続され、一次側電源を前記発光部が点灯する二次側電源に変換して前記ソケットに接続された前記光源に供給する電源部と；
前記一次側電源路を開閉可能に設けられ、前記ソケットカバーが前記規制位置にあるときに前記一次側電源路を閉路し、前記ソケットカバーが前記退避位置にあるときに前記一次側電源路を開路するスイッチと；
を具備することを特徴とする照明装置。
【請求項２】
第１の接続部に接続された第１の発光部および第２の接続部に接続された第２の発光部を有する光源の前記第１の接続部が着脱可能に接続される第１のソケットと；
前記光源の前記第２の接続部が着脱可能に接続される第２のソケットと；
前記第１のソケットに対する前記光源の前記第１の接続部の着脱を可能とする退避位置と前記第１のソケットに対する前記光源の前記第１の接続部の着脱を規制する規制位置との間で移動可能とする第１のソケットカバーと；
前記第２のソケットに対する前記光源の前記第２の接続部の着脱を可能とする退避位置と前記第２のソケットに対する前記光源の前記第２の接続部の着脱を規制する規制位置との間で移動可能とする第２のソケットカバーと；
一次側電源が供給される一次側電源路に接続され、一次側電源を前記第１の発光部が点灯する二次側電源に変換して前記第１のソケットと接続された前記光源の前記第１の発光部に供給する第１の電源部と；
前記一次側電源路に接続され、一次側電源を前記第２の発光部が点灯する二次側電源に変換して前記第２のソケットと接続された前記光源の前記第２の発光部に供給する第２の電源部と；
前記第１の電源部に接続される前記一次側電源路を開閉可能に設けられ、前記第１のソケットカバーが前記規制位置にあるときに前記一次側電源路を閉路し、前記第１のソケットカバーが前記退避位置にあるときに前記一次側電源路を開路する第１のスイッチと；
前記第２の電源部に接続される前記一次側電源路を開閉可能に設けられ、前記第２のソケットカバーが前記規制位置にあるときに前記一次側電源路を閉路し、前記第２のソケットカバーが前記退避位置にあるときに前記一次側電源路を開路する第２のスイッチと；
を具備することを特徴とする照明装置。
【請求項３】
第１の接続部に接続された第１の発光部および第２の接続部に接続された第２の発光部を有する光源の前記第１の接続部が着脱可能に接続される第１のソケットと；
前記光源の前記第２の接続部が着脱可能に接続される第２のソケットと；
前記第１のソケットに対する前記光源の前記第１の接続部の着脱を可能とする退避位置と前記第１のソケットに対する前記光源の前記第１の接続部の着脱を規制する規制位置との間で移動可能とする第１のソケットカバーと；
前記第２のソケットに対する前記光源の前記第２の接続部の着脱を可能とする退避位置と前記第２のソケットに対する前記光源の前記第２の接続部の着脱を規制する規制位置との間で移動可能とする第２のソケットカバーと；
一次側電源が供給される一次側電源路に接続され、一次側電源を前記第１の発光部が点灯する二次側電源に変換して前記第１のソケットと接続された前記光源の前記第１の発光部に供給する第１の電源部と；
前記一次側電源路に接続され、一次側電源を前記第２の発光部が点灯する二次側電源に変換して前記第２のソケットと接続された前記光源の前記第２の発光部に供給する第２の電源部と；
前記第１の電源部および前記第２の電源部に接続される前記一次側電源路を開閉可能に設けられ、前記第１のソケットカバーが前記規制位置にあるときに前記一次側電源路を閉路し、前記第１のソケットカバーが前記退避位置にあるときに前記一次側電源路を開路する第１のスイッチと；
前記第１の電源部および前記第２の電源部に接続される前記一次側電源路を開閉可能に設けられ、前記第２のソケットカバーが前記規制位置にあるときに前記一次側電源路を閉路し、前記第２のソケットカバーが前記退避位置にあるときに前記一次側電源路を開路する第２のスイッチと；
を具備することを特徴とする記載の照明装置。
【発明の詳細な説明】
【技術分野】
【０００１】
本発明の実施形態は、光源が着脱可能に接続される照明装置に関する。
【背景技術】
【０００２】
従来、例えば直管形ランプなどの光源を用いた照明装置では、ソケットに対して接続される光源が着脱可能で、寿命などによる光源の交換が可能となっている。ソケットに接続された光源には電源部によって商用交流電源から変換された点灯用電源が供給され、光源が点灯する。
【０００３】
そして、光源を交換する際には、電源部からの点灯用電源が光源に供給された状態のままであると、感電のおそれがあるため、電源部から光源への点灯用電源の供給を停止させたうえで光源を交換することが好ましい。
【先行技術文献】
【特許文献】
【０００４】
【特許文献１】特開２０１４−１０３０４６号公報
【発明の概要】
【発明が解決しようとする課題】
【０００５】
本発明が解決しようとする課題は、光源をソケットから外す際には、光源への電源の供給を確実に停止させることができる照明装置を提供することである。
【課題を解決するための手段】
【０００６】
実施形態の照明装置は、ソケット、ソケットカバー、電源部およびスイッチを備える。ソケットは、発光部を有する光源が着脱可能に接続される。ソケットカバーは、ソケットに対する光源の着脱を可能とする退避位置とソケットに対する光源の着脱を規制する規制位置との間で移動可能とする。電源部は、一次側電源が供給される一次側電源路に接続され、一次側電源を発光部が点灯する二次側電源に変換してソケットに接続された光源に供給する。スイッチは、一次側電源路を開閉可能に設けられ、ソケットカバーが規制位置にあるときに一次側電源路を閉路し、ソケットカバーが退避位置にあるときに一次側電源路を開路する。
【発明の効果】
【０００７】
本発明によれば、光源をソケットから外す際には、光源への電源の供給を確実に停止させることが期待できる。
【図面の簡単な説明】
【０００８】
【図１】第１の実施形態を示す照明装置の側面図である。
【図２】同上照明装置の回路図である。
【図３】第２の実施形態を示す照明装置の側面図である。
【図４】同上照明装置の回路図である。
【図５】第３の実施形態を示す照明装置の回路図である。
【発明を実施するための形態】
【０００９】
以下、第１の実施形態を、図１および図２を参照して説明する。
【００１０】
図１に示すように、照明装置10は、例えば車両の客室灯である。照明装置10は、光源11として直管形ランプ12が用いられる。
【００１１】
図１および図２に示すように、直管形ランプ12は、円筒状の筐体15、この筐体15内に配設された発光モジュール16、筐体15の両端にそれぞれ設けられた第１の口金17aおよび第２の口金17bを備えている。
【００１２】
筐体15は、発光モジュール16からの光が透過する透光部分を有している。
【００１３】
発光モジュール16は、基板18、およびこの基板18上に設けられた発光回路19を備えている。発光回路19は、基板18上に形成された配線パターン20、およびこの配線パターン20上に実装された複数の発光素子21を備えている。発光素子21は、例えばＬＥＤ（発光ダイオード）などが用いられている。そして、複数の発光素子21によって直管形ランプ12の発光部22が構成されている。
【００１４】
第１の口金17aには第１の接続部23aが設けられ、第２の口金17bには第２の接続部23bが設けられている。第１の接続部23aは、第１の口金17aの端面から突出する断面Ｌ字形の一対の電極ピンによって構成されている。第２の接続部23bは、第２の口金17bの端面から突出する断面Ｔ字形の１本の取付ピンによって構成されている。
【００１５】
第１の口金17aの第１の接続部23aには、発光モジュール16の発光回路19が配線などよって電気的に接続されている。
【００１６】
また、照明装置10は、長尺状の器具本体27、この器具本体27の長手方向の両端にそれぞれ取り付けられたソケット28としての第１のソケット28aおよび第２のソケット28b、器具本体27の長手方向の両端にそれぞれ取り付けられたソケットカバー29としての第１のソケットカバー29aおよび第２のソケットカバー29b、器具本体27に配設された電源部30、およびこの電源部30に入力される一次側電源を遮断するためのスイッチ31などを備えている。
【００１７】
第１のソケット28aには、直管形ランプ12の第１の口金17aの第１の接続部23aが着脱可能に装着されて電気的に接続される。第２のソケット28bには、直管形ランプ12の第２の口金17bの第２の接続部23bが着脱可能に装着される。
【００１８】
第１のソケットカバー29aは、第１のソケット28aに対する直管形ランプ12の第１の接続部23aの着脱を可能とする退避位置と、第１のソケット28aに対する直管形ランプ12の第１の接続部23aの着脱を規制する規制位置との間で移動可能とする。第１のソケットカバー29aは、器具本体27の長手方向にスライドするように構成されている。第１のソケットカバー29aの退避位置では、第１のソケット28aおよび第１の口金17aを露出させ、また、第１のソケットカバー29aの規制位置では、第１のソケット28aおよび第１の口金17aを覆う。
【００１９】
第２のソケットカバー29bも、第１のソケットカバー29aと同様に構成されている。すなわち、第２のソケットカバー29bは、第２のソケット28bに対する直管形ランプ12の第２の接続部23bの着脱を可能とする退避位置と、第２のソケット28bに対する直管形ランプ12の第２の接続部23bの着脱を規制する規制位置との間で移動可能とする。第２のソケットカバー29bは、器具本体27の長手方向にスライドするように構成されている。第２のソケットカバー29bの退避位置では、第２のソケット28bおよび第２の口金17bを露出させ、また、第２のソケットカバー29bの規制位置では、第２のソケット28bおよび第２の口金17bを覆う。
【００２０】
電源部30は、交流電源Ｅから一次側電源である交流電源Ｅが供給される一次側電源路33に接続されている。電源部30は、交流電源Ｅを入力して発光素子21を点灯させるための所定の二次側電源である直流電源に変換し、変換した直流電源を直管形ランプ12に供給する。電源部30の二次側は、第１のソケット28a、およびこの第１のソケット28aに接続された直管形ランプ12の第１の接続部23aを通じて発光モジュール16の発光回路19に電気的に接続される。
【００２１】
なお、一次側電源としては、交流電源Ｅではなく、直流電源が供給されるようにしてもよい。
【００２２】
スイッチ31は、交流電源Ｅと電源部30との間の一次側電源路33を開路および閉路するように設けられている。スイッチ31は、第１のソケットカバー29aに対向するように器具本体27に配設されている。スイッチ31は、例えば押動操作式スイッチであり、第１のソケットカバー29aに対向して突出するスイッチ作動部32を備えている。そして、第１のソケットカバー29aが規制位置にあるときに、第１のソケットカバー29aでスイッチ作動部32が押動されてスイッチ31がオン状態となり、一次側電源路33を閉路し、また、第１のソケットカバー29aが退避位置にあるときに、第１のソケットカバー29aによるスイッチ作動部32の押動が解除されてスイッチ31がオフ状態となり、一次側電源路33を開路する。
【００２３】
そして、照明装置10は、直管形ランプ12が両端のソケット28a，28b間に接続されるとともに、両端のソケットカバー29a，29bがそれぞれ規制位置にある状態で、スイッチ31が一次側電源路33を閉路しており、直管形ランプ12の点灯が可能となっている。
【００２４】
電源部30が交流電源Ｅを直流電源に変換し、この直流電源を第１のソケット28aおよびこの第１のソケット28aに接続された直管形ランプ12の第１の接続部23aを通じて発光モジュール16の発光回路19に供給することにより、発光素子21が発光し、筐体15の透光部分を通じて外部へ光が放出される。
【００２５】
また、両端のソケットカバー29a，29bがそれぞれ規制位置にある状態では、直管形ランプ12を両端のソケット28a，28b間から外すことはできない。
【００２６】
また、直管形ランプ12を交換する場合には、両端のソケットカバー29a，29bをそれぞれ退避位置に移動させた後、直管形ランプ12を両端のソケット28a，28b間から外す。
【００２７】
この際、第１のソケットカバー29aを退避位置に移動させると、スイッチ31が一次側電源路33を開路する。そのため、電源部30への交流電源Ｅの供給が遮断され、電源部30から直管形ランプ12への直流電源の供給が停止される。
【００２８】
したがって、本実施形態の照明装置10によれば、直管形ランプ12を両端のソケット28a，28b間から外す際には、直管形ランプ12への電源供給を確実に停止させることができる。
【００２９】
そのため、仮に電源部30に絶縁破壊が発生していたとしても、両端のソケットカバー29a，29bを退避位置にそれぞれ移動させて直管形ランプ12を取り外せる状態としたときには、電源部30への交流電源Ｅの供給が遮断されているため、直管形ランプ12などに触れても感電のおそれがない。
【００３０】
次に、図３および図４に第２の実施形態を示す。なお、第１の実施形態と同じ構成については、同じ符号を用い、その説明を省略する。
【００３１】
直管形ランプ12は、第１の発光回路19aおよび第２の発光回路19bを備えている。第１の発光回路19aは複数の第１の発光素子21aを備えており、複数の第１の発光素子21aによって第１の発光部22aが構成されている。第２の発光回路19bは複数の第２の発光素子21bを備えており、複数の第２の発光素子21bによって第２の発光部22bが構成されている。
【００３２】
第１の発光素子21aと第２の発光素子21bとは、基板18の幅方向に並び、基板18の長手方向に沿って配列されている。あるいは、第１の発光素子21aと第２の発光素子21bとが基板の長手方向に沿って交互に配設されている。
【００３３】
第１の発光素子21aと第２の発光素子21bとは、色温度または光色が異なっている。例えば、第１の発光素子21aは昼光色の光を発光し、第２の発光素子21bは電球色の光を発光する。
【００３４】
第１の接続部23aは、第１の口金17aの端面から突出する断面Ｌ字形の一対の電極ピンによって構成されている。この第１の口金17aの第１の接続部23aには、発光モジュール16の第１の発光回路19aが配線などよって電気的に接続されている。
【００３５】
第２の接続部23bは、第１の接続部23aと同様に、第２の口金17bの端面から突出する断面Ｌ字形の一対の電極ピンによって構成されている。この第２の口金17bの第２の接続部23bには、発光モジュール16の第２の発光回路19bが配線などよって電気的に接続されている。
【００３６】
また、照明装置10は、第１の電源部30aおよび第２の電源部30bを備えている。
【００３７】
第１の電源部30aは、交流電源Ｅから一次側電源である交流電源Ｅが供給される一次側電源路33としての第１の一次側電源路33aに接続されている。第１の電源部30aは、交流電源Ｅを入力して第１の発光素子21aを点灯させるための所定の二次側電源である直流電源に変換し、変換した直流電源を直管形ランプ12に供給する。第１の電源部30aの二次側は、第１のソケット28a、およびこの第１のソケット28aに接続された直管形ランプ12の第１の接続部23aを通じて発光モジュール16の第１の発光回路19aに電気的に接続される。
【００３８】
第２の電源部30bは、交流電源Ｅから一次側電源である交流電源Ｅが供給される一次側電源路33としての第２の一次側電源路33bに接続されている。第２の電源部30bは、交流電源Ｅを入力して第２の発光素子21bを点灯させるための所定の二次側電源である直流電源に変換し、変換した直流電源を直管形ランプ12に供給する。第２の電源部30bの二次側は、第２のソケット28b、およびこの第２のソケット28bに接続された直管形ランプ12の第２の接続部23bを通じて発光モジュール16の第２の発光回路19bに電気的に接続される。
【００３９】
スイッチ31は、交流電源Ｅと第１の電源部30aとの間の第１の一次側電源路33aを開路および閉路するように設けられた第１のスイッチ31a、および交流電源Ｅと第２の電源部30bとの間の第２の一次側電源路33bを開路および閉路するように設けられた第２のスイッチ31bを備えている。
【００４０】
第１のスイッチ31aは、第１のソケットカバー29aに対向するように器具本体27に配設されている。第１のスイッチ31aは、第１のソケットカバー29aに対向して突出するスイッチ作動部32を備えている。そして、第１のソケットカバー29aが規制位置にあるときに、第１のソケットカバー29aでスイッチ作動部32が押動されて第１のスイッチ31aがオン状態となり、第１の一次側電源路33aを閉路し、また、第１のソケットカバー29aが退避位置にあるときに、第１のソケットカバー29aによるスイッチ作動部32の押動が解除されて第１のスイッチ31aがオフ状態となり、第１の一次側電源路33aを開路する。
【００４１】
第２のスイッチ31bは、第２のソケットカバー29bに対向するように器具本体27に配設されている。第２のスイッチ31bは、第２のソケットカバー29bに対向して突出するスイッチ作動部32を備えている。そして、第２のソケットカバー29bが規制位置にあるときに、第２のソケットカバー29bでスイッチ作動部32が押動されて第２のスイッチ31bがオン状態となり、第２の一次側電源路33bを閉路し、また、第２のソケットカバー29bが退避位置にあるときに、第２のソケットカバー29bによるスイッチ作動部32の押動が解除されて第２のスイッチ31bがオフ状態となり、第２の一次側電源路33bを開路する。
【００４２】
そして、照明装置10は、直管形ランプ12が両端のソケット28a，28b間に接続されるとともに、両端のソケットカバー29a，29bがそれぞれ規制位置にある状態で、スイッチ31a，31bが一次側電源路33a，33bをそれぞれ閉路しており、直管形ランプ12の点灯が可能となっている。
【００４３】
第１の電源部30aが交流電源Ｅを直流電源に変換し、この直流電源を第１のソケット28aおよびこの第１のソケット28aに接続された直管形ランプ12の第１の接続部23aを通じて発光モジュール16の第１の発光回路19aに供給することにより、第１の発光素子21aが発光し、筐体15の透光部分を通じて外部へ光が放出される。
【００４４】
第２の電源部30bが交流電源Ｅを直流電源に変換し、この直流電源を第２のソケット28bおよびこの第２のソケット28bに接続された直管形ランプ12の第２の接続部23bを通じて発光モジュール16の第２の発光回路19bに供給することにより、第２の発光素子21bが発光し、筐体15の透光部分を通じて外部へ光が放出される。
【００４５】
また、両端のソケットカバー29a，29bがそれぞれ規制位置にある状態では、直管形ランプ12を両端のソケット28a，28b間から外すことはできない。
【００４６】
また、直管形ランプ12を交換する場合には、両端のソケットカバー29a，29bをそれぞれ退避位置に移動させた後、直管形ランプ12を両端のソケット28a，28b間から外す。
【００４７】
この際、両端のソケットカバー29a，29bを退避位置にそれぞれ移動させると、スイッチ31a，31bが一次側電源路33a，33bをそれぞれ開路する。そのため、電源部30a，30bへの交流電源Ｅの供給がそれぞれ遮断され、電源部30a，30bから直管形ランプ12への直流電源の供給がそれぞれ停止される。
【００４８】
したがって、本実施形態の照明装置10によれば、直管形ランプ12を両端のソケット28a，28b間から外す際には、直管形ランプ12への電源供給を確実に停止させることができる。
【００４９】
そのため、仮に電源部30a，30bに絶縁破壊が発生していたとしても、両端のソケットカバー29a，29bを退避位置にそれぞれ移動させて直管形ランプ12を取り外せる状態としたときには、電源部30a，30bへの交流電源Ｅの供給が遮断されているため、直管形ランプ12などに触れても感電のおそれがない。
【００５０】
これは、直管形ランプ12の第１の発光回路19aと第２の発光回路19bとの間で絶縁破壊が発生していたとしても、同様の作用効果が得られる。
【００５１】
次に、図５に第３の実施形態を示す。なお、第１および第２の実施形態と同じ構成については、同じ符号を用い、その説明を省略する。また、照明装置10の外観構成は、第２の実施形態の図３と同じ外観構成であり、図示を省略する。
【００５２】
直管形ランプ12は、上述した第２の実施形態と同じ構成である。
【００５３】
照明装置10は、上述した第２の実施形態と同じく、第１の電源部30aおよび第２の電源部30bを備えている。
【００５４】
第１の電源部30aおよび第２の電源部30bは、交流電源Ｅから一次側電源である交流電源Ｅが供給される一次側電源路33に並列に接続されている。
【００５５】
第１のスイッチ31aおよび第２のスイッチ31bは、交流電源Ｅと第１の電源部30aおよび第２の電源部30bとの間の一次側電路33を開路および閉路するように直列に設けられている。第１のスイッチ31aおよび第２のスイッチ31bの構造、器具本体27への配設、およびそれぞれのソケットカバー29a，29bの移動に対応したスイッチ切換動作は、上述した第２の実施形態と同じである。
【００５６】
そして、照明装置10は、直管形ランプ12が両端のソケット28a，28b間に接続されるとともに、両端のソケットカバー29a，29bがそれぞれ規制位置にある状態で、スイッチ31a，31bが一次側電源路33をそれぞれ閉路しており、交流電源Ｅが第１の電源部30aおよび第２の電源部30bに供給され、直管形ランプ12の点灯が可能となっている。
【００５７】
第１の電源部30aが交流電源Ｅを直流電源に変換し、この直流電源を第１のソケット28aおよびこの第１のソケット28aに接続された直管形ランプ12の第１の接続部23aを通じて発光モジュール16の第１の発光回路19aに供給することにより、第１の発光素子21aが発光し、筐体15の透光部分を通じて外部へ光が放出される。
【００５８】
第２の電源部30bが交流電源Ｅを直流電源に変換し、この直流電源を第２のソケット28bおよびこの第２のソケット28bに接続された直管形ランプ12の第２の接続部23bを通じて発光モジュール16の第２の発光回路19bに供給することにより、第２の発光素子21bが発光し、筐体15の透光部分を通じて外部へ光が放出される。
【００５９】
また、両端のソケットカバー29a，29bがそれぞれ規制位置にある状態では、直管形ランプ12を両端のソケット28a，28b間から外すことはできない。
【００６０】
また、直管形ランプ12を交換する場合には、両端のソケットカバー29a，29bをそれぞれ退避位置に移動させた後、直管形ランプ12を両端のソケット28a，28b間から外す。
【００６１】
この際、両端のソケットカバー29a，29bのいずれか一方でも退避位置に移動させると、スイッチ31a，31bのいずれか一方が一次側電源路33を開路する。そのため、電源部30a，30bへの交流電源Ｅの供給が一括して遮断され、電源部30a，30bから直管形ランプ12への直流電源の供給が一括して停止される。
【００６２】
したがって、本実施形態の照明装置10によれば、直管形ランプ12を両端のソケット28a，28b間から外す際には、直管形ランプ12への電源供給を確実に停止させることができる。
【００６３】
そのため、仮に電源部30a，30bに絶縁破壊が発生していたとしても、両端のソケットカバー29a，29bを退避位置にそれぞれ移動させて直管形ランプ12を取り外せる状態としたときには、電源部30a，30bへの交流電源Ｅの供給が遮断されているため、直管形ランプ12などに触れても感電のおそれがない。
【００６４】
これは、直管形ランプ12の第１の発光回路19aと第２の発光回路19bとの間で絶縁破壊が発生していたとしても、同様の作用効果が得られる。
【００６５】
なお、ソケットカバー29（29a，29b）の退避位置と規制位置との間での移動は、スライドに限らず、ソケットカバー29（29a，29b）の外端側を回動中心として回動するようにしてもよい。この場合、ソケットカバー29（29a，29b）の回動方向に対向してスイッチ31（31a，31b）のスイッチ作動部32を対向させるようにすればよい。
【００６６】
また、スイッチ31（31a，31b）は、押動操作式スイッチに限らず、接点式スイッチでもよい。例えば、ソケットカバー29（29a，29b）側に一次側電路33の一端に電気的に接続されるソケットカバー側接点を設け、器具本体27側に一次側電路33の他端に電気的に接続される器具本体側接点を設ける。そして、ソケットカバー29（29a，29b）が規制位置に移動することにより、ソケット側接点と器具本体側接点と電気的に接続されて一次側電路33を閉路し、また、ソケットカバー29（29a，29b）が退避位置に移動することにより、ソケット側接点と器具本体側接点とが離反して一次側電路33を開路する。なお、これら接点は、外部からは触れることができないように構成することが好ましい。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
10    照明装置
11    光源
22    発光部
22a   第１の発光部
22b   第２の発光部
23a   第１の接続部
23b   第２の接続部
28    ソケット
28a   第１のソケット
28b   第２のソケット
29    ソケットカバー
29a   第１のソケットカバー
29b   第２のソケットカバー
30    電源部
30a   第１の電源部
30b   第２の電源部
31    スイッチ
31a   第１のスイッチ
31b   第２のスイッチ
33    一次側電源路
【図１】
2017062976.tif 000003
【図２】
2017062976.tif 000004
【図３】
2017062976.tif 000005
【図４】
2017062976.tif 000006
【図５】
2017062976.tif 000007